【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
所定間隔離間して配置される第１光源及び第２光源と、
前記第１光源及び前記第２光源の間に配置される導光板と、
前記導光板に対応して配置される透過率調整体とを備え、
前記導光板は、光射出面と、前記第１光源に対向し、前記光射出面の一辺を含む第１光入射面と、前記第２光源に対向し前記一辺の対辺を含む第２入射面とを有し、前記第１光入射面及び第２光入射面から中央に向かうに従って厚みが厚くなり、
前記透過率調整体は、前記導光板の前記光射出面側に配置されることを特徴とする面状照明装置。
【請求項２】
前記透過率調整体の所定位置（ｘ，ｙ）でのパターン密度をρ（ｘ，ｙ）とし、
前記透過率調整体を含まない場合の前記面状照明装置の前記光射出面から出射される光の最大輝度Ｆmaxを１とし、前記光射出面の所定位置（ｘ，ｙ）から出射される光の前記最大輝度Ｆmaxに対する相対輝度をＦ（ｘ，ｙ）とすると、
前記相対輝度Ｆ（ｘ，ｙ）と前記パターン密度ρ（ｘ，ｙ）との関係が下記式、
ρ（ｘ，ｙ）＝ｃ｛Ｆ（ｘ，ｙ）−Ｆmin｝／（Ｆmax−Ｆmin）
（式中、ｃは、０．５≦ｃ≦１を満たし、Ｆminは、相対輝度Ｆ（ｘ，
ｙ）の最小輝度である）
を満足する請求項１に記載の面状照明装置。
【請求項３】
前記透過率調整体は、フィルム状の透明部材の表面に配置される請求項１または２に記載の面状照明装置。
【請求項４】
前記透過率調整体は、ＦＭスクリーニングによって前記透明部材の表面に配置される請求項３に記載の面状照明装置。
【請求項５】
前記透明部材は、透明フィルム、導光板、拡散フィルムまたはプリズムシートである請求項３または４に記載の面状照明装置。
【請求項６】
前記透過率調整体は、網点パターンで配置される請求項１〜５のいずれかに記載の面状照明装置。
【請求項７】
前記透過率調整体は、所定領域全面に配置した場合の透過率が１０％以上５０％以下である請求項１〜６のいずれかに記載の面状照明装置。
【請求項８】
前記透過率調整体は、寸法が５００μｍ以下であり、所定のパターン密度分布で配置されている請求項１〜７のいずれかに記載の面状照明装置。
【請求項９】
さらに、前記透過率調整体の光出面側に、光学部材が配置されている請求項１〜８のいずれかに記載の面状照明装置。
【請求項１０】
前記導光板の前記光射出面は、外形が矩形状である請求項１〜９のいずれかに記載の面状照明装置。
【請求項１１】
前記導光板の前記光射出面が平坦に形成されており、前記導光板は、前記光射出面の反対側に、前記光射出面の前記一辺に平行な前記光射出面の２等分線に対し、互いに対称に傾斜して形成された第１傾斜面と第２傾斜面を有する請求項１０に記載の面状照明装置。
【請求項１２】
所定の偏光成分を選択的に透過させ、それ以外の偏光成分を反射させる偏光分離フィルムが前記導光板の前記光射出面上に、前記導光板と一体に形成されている請求項１１に記載の面状照明装置。
【請求項１３】
前記導光板の前記光射出面が、前記光射出面の前記一辺に平行な前記光射出面の２等分線に対して互いに対称に傾斜する第１傾斜面と第２傾斜面とによって形成されており、更に、前記光射出面の反対側の面も、前記光射出面の前記一辺に平行な前記光射出面の２等分線に対して互いに対称に傾斜する第３傾斜面と第４傾斜面とによって形成されている請求項１０に記載の面状照明装置。
【請求項１４】
前記導光板の前記光射出面が、前記光射出面の前記一辺に平行な前記光射出面の２等分線に対して互いに対称に傾斜する第１傾斜面と第２傾斜面とによって形成されており、前記光射出面の反対側の面が平坦に形成されている請求項１０に記載の面状照明装置。
【請求項１５】
前記第１光源及び第２光源は共に、赤色発光ダイオード、緑色発光ダイオード及び青色発光ダイオードを備えるＲＧＢ−ＬＥＤを複数個、一列に並んで配置させたＬＥＤアレイと、前記赤色発光ダイオード、前記緑色発光ダイオード及び前記青色発光ダイオードの光射出側に対応してそれぞれ配置される複数のレンズとを用いて構成されている請求項１〜１４のいずれか１項に記載の面状照明装置。
【請求項１６】
前記複数のレンズのそれぞれは、球状の透明なボールレンズである請求項１５に記載の面状照明装置。
【請求項１７】
前記第１光源及び前記第２光源は共に、複数のＬＥＤチップと、一列に並んだ前記ＬＥＤチップを支持する支持部とを有するＬＥＤアレイであり、
前記ＬＥＤチップの前記導光板の前記光出射面に垂直な方向の長さをａとし、前記ＬＥＤチップの配列方向における長さをｂとし、前記ＬＥＤチップの配置間隔をｐとしたときに、ｐ＞ｂ＞ａの関係を満足する請求項１〜１４のいずれか１項に記載の面状照明装置。
【請求項１８】
前記第１光源及び前記第２光源は共に、前記ＬＥＤアレイを２つ以上有し、
機械的接合方法及び化学的接合方法の少なくとも一方を用い、前記ＬＥＤアレイの前記ＬＥＤチップと他の前記ＬＥＤアレイの前記ＬＥＤチップとの間隔を所定距離離間させて積層させた構成を有する請求項１５〜１７のいずれか１項に記載の面状照明装置。
【請求項１９】
前記導光板を２つ以上有し、
前記導光板の前記光射出面の一辺と前記光入射面の一辺を含む面と、他の前記導光板の前記光射出面の一辺と前記入射面の一辺を含む面とが隣接して配置されている請求項１〜１８のいずれか１項に記載の面状照明装置。
【請求項２０】
前記導光板は、前記第１光入射面及び前記第２光入射面を除く面の少なくとも一面に複数の拡散反射体が配置されている請求項１〜１９のいずれか１項に記載の面状照明装置。
【請求項２１】
前記導光板の前記第１傾斜面及び前記第２傾斜面側に、複数の拡散反射体が配置されている請求項１〜１９のいずれか１項に記載の面状照明装置。
【請求項２２】
前記拡散反射体は、前記第１傾斜面及び前記第２傾斜面に配置される請求項２０または２１に記載の面状照明装置。
【請求項２３】
前記導光板の前記第１傾斜面及び前記第２傾斜面に対向して配置される反射シートを有し、
前記拡散反射体は、前記導光板と前記反射シートとの間に配置されたフィルム状の透明部材に配置されている請求項２１に記載の面状照明装置。
【請求項２４】
前記拡散反射体は、前記第１光入射面及び前記第２光入射面から離れるに従って、密に配置されている請求項２０〜２３のいずれか１項に記載の面状照明装置。
【請求項２５】
前記導光板は、前記第１光入射面側の一部及び前記第２光入射面側の一部が、他の部分とは異なる材料で形成されており、前記第１光入射面側の一部及び前記第２光入射面側の一部の材料の屈折率をＮｍとし、他の部分の材料の屈折率をＮｉとしたときに、Ｎｍ＞Ｎｉの関係を満足する請求項１〜２４のいずれか１項に記載の面状照明装置。
【請求項２６】
さらに、前記導光板の、前記第１光入射面近傍の前記光射出面、前記第１光入射面近傍の前記第１傾斜面、前記第２光入射面近傍の前記光射出面、及び前記第２光入射面近傍の前記第２傾斜面にそれぞれ配置された反射素材を有する請求項１〜２５のいずれか１項に記載の面状照明装置。
【請求項２７】
前記導光板は、その内部に、前記第１及び第２光入射面から入射して内部を伝搬する光を散乱し、かつ下記式（１）を満たす散乱粒子を含む請求項１〜２６のいずれか１項に記載の面状照明装置。
１．１≦Φ・Ｎｐ・ＬＧ・ＫＣ≦８．２      ・・・（１）
（但し、散乱粒子の散乱断面積をΦ、前記導光板の光の入射方向の半分の長さをＬＧ、散乱粒子の密度をＮｐ、補正係数をＫＣとし、ＫＣを０．００５以上０．１以下とする）
【手続補正２】
【補正対象書類名】明細書
【補正対象項目名】０００９
【補正方法】変更
【補正の内容】
【０００９】
ここで、前記透過率調整体の所定位置（ｘ，ｙ）でのパターン密度をρ（ｘ，ｙ）とし、前記透過率調整体を含まない場合の前記面状照明装置の前記光射出面から出射される光の最大輝度Ｆmaxを１とし、前記光射出面の所定位置（ｘ，ｙ）から出射される光の前記最大輝度Ｆmaxに対する相対輝度をＦ（ｘ，ｙ）とすると、前記相対輝度Ｆ（ｘ，ｙ）と前記パターン密度ρ（ｘ，ｙ）との関係が下記式、
ρ（ｘ，ｙ）＝ｃ｛Ｆ（ｘ，ｙ）−Ｆmin｝／（Ｆmax−Ｆmin）
（式中、ｃは、０．５≦ｃ≦１を満たし、Ｆminは、相対輝度Ｆ（ｘ，ｙ）の最小輝度である）
を満足することが好ましい。
また、前記透過率調整体は、フィルム状の透明部材の表面に配置されることが好ましい。
さらに、前記透過率調整体は、ＦＭスクリーニングによって前記透明部材の表面に配置されることが好ましい。
また、前記透明部材は、透明フィルム、導光板、拡散フィルムまたはプリズムシートであることが好ましい。
また、前記透過率調整体は、網点パターンで配置されることが好ましい。
また、前記透過率調整体は、所定領域全面に配置した場合の透過率が１０％以上５０％以下であることが好ましい。
また、前記透過率調整体は、寸法が５００μｍ以下であり、所定のパターン密度分布で配置されていることが好ましい。
さらに、前記透過率調整体の光出面側に、光学部材が配置されていることが好ましい。
また、前記導光板の前記光射出面は、外形が矩形状であるのが好ましい。
また、前記導光板の前記光射出面が平坦に形成されており、前記導光板は、前記光射出面の反対側に、前記光射出面の前記一辺に平行な前記光射出面の２等分線に対し、互いに対称に傾斜して形成された第１傾斜面と第２傾斜面を有するのが好ましく、更に、所定の偏光成分を選択的に透過させ、それ以外の偏光成分を反射させる偏光分離フィルムが前記導光板の前記光射出面上に、前記導光板と一体に形成されているのが好ましい。
【手続補正３】
【補正対象書類名】明細書
【補正対象項目名】００１４
【補正方法】変更
【補正の内容】
【００１４】
ここで、前記導光板は、前記第１光入射面及び前記第２光入射面を除く面の少なくとも一面に複数の拡散反射体が配置されているのが好ましい。
また、前記導光板の前記第１傾斜面及び前記第２傾斜面側に、複数の拡散反射体が配置されているのが好ましい。
さらに、前記拡散反射体は、前記第１傾斜面及び前記第２傾斜面に配置されているのが好ましい。
あるいは、前記導光板の前記第１傾斜面及び前記第２傾斜面に対向して配置される反射シートを有し、前記拡散反射体は、前記導光板と前記反射シートとの間に配置されたフィルム状の透明部材に配置されているのが好ましい。
また、前記拡散反射体は、前記第１光入射面および前記第２光入射面から離れるに従って、密に配置されているのが好ましい。